(57)【要約】【課題】本考案は、使用者の思考に基づき、任意に選択したボトルキャップフィギュアの蓋に嵌め込み、チェスの盤上競技を可能にする駒を提供する。【解決手段】あらゆるフィギュア付ボトルキャップ４に嵌合、且つ、着脱可能にした状態で駒本体の前背面にチェス駒の略画を記し、８・９・１０の異なる大きさの駒を用いてチェスの盤上競技を可能にした。【選択図】図１
0003105669.tif 000002
【実用新案登録請求の範囲】
【請求項１】
あらゆるフィギュア付ボトルキャップ４に嵌合、且つ、１と４は着脱可能で、２は競技中に５から脱落しない形状を備えたチェス駒。
【請求項２】
図２の異なる大きさ８・９・１０の駒の前面と背面の矢印指示箇所に、６種類のチェス駒の略画を記したチェス駒。
【考案の詳細な説明】
【技術分野】
【０００１】  本考案は、食品玩具のフィギュア付ボトルキャップに嵌め込み、チェス盤で競技を行うことを目的とする非公式のチェス駒に関するものである。
【背景技術】
【０００２】  従来、チェス駒のデザインは各地各国で様々な形をしたものが使われはじめ、現在公式に使われている形は、１８５１年第一回ロンドン大会から数ある宗派の中より選ばれたものである。
しかしながら、係わる駒を用いることは、盤上競技のチェス用具の一つに留まるものである。
かかる問題を解消することを目的として特開２００２−１０２４０８号には、駒の前面に将棋の駒の名称、背面に印を付けることにより将棋の駒として使用できることが記載されている。【０００３】  また、ボトルキャップの従来の技術として特開２００３−９３７５０号は、ボトルキャップ保持可能な突起部を備えたレンガ模様の支持台で、台座同士を接続でき、突起部にはボトルキャップフィギュアを保持できるようにした。この保持具は地震や衝撃等に耐え、複数個のボトルキャップフィギュアを相対位置を変更することなく一度に移動できることが記載されている。【０００４】  更に、ボトルキャップの他の技術として特開２００３−３３９４９２号は、人形や玩具などの装飾体が創設されているペットボトル容器の蓋に嵌合するキャップ部を備えた陳列台で、複数個の台座を着脱し、かつ自在に連結でき、台座形はほぼ同一形状の多角形とすることが記載されている。
【考案の開示】
【考案が解決しようとする課題】
【０００５】  前記特開２００２−１０２４０８号に開示されたチェス駒の特徴を取り入れた将棋の駒では、チェス駒の前面と背面に将棋の駒の名称・印が付けられているために、チェス競技に支障をあたえることが生じた。
また、特開２００３−９３７５０号に開示されたボトルキャップフィギュア保持具では、支持台同士での形状の相違点がないため、６種類のチェス駒を大別できないことが生じた。
同様に上記の特開２００３−３３９４９２号に開示されたボトルキャップ用陳列台でも、ほぼ同一の多角形の台座形状をしているために、チェス駒の種別ができない問題が生じた点である。
【課題を解決するための手段】
【０００６】  前記課題を解決する本考案は、あらゆるフィギュア付ボトルキャップに嵌合、且つ、着脱可能にした状態で駒本体の前面と背面に６種類のチェス駒の略画を記し、異なる大きさの台座の形状を持つチェス駒を用いて、チェスの盤上競技を可能にしたことを最も重要な特徴とする。
【考案の効果】
【０００７】  本考案のボトルキャップフィギュア専用チェス駒は、フィギュア付ボトルキャップに嵌合する駒に、チェス駒の種類別略画を記した用具である。公式チェス駒の形状に留まることなく、使用者の思考に基づき、接合する上部のボトルキャップフィギュアのキャラクターを任意に選択し設定できるという利点がある。
【考案を実施するための最良の形態】
【０００８】  本考案が円滑にチェス競技できるには、少なくともチェス盤の用具が必要となる。ボトルキャップフィギュア専用チェス駒の形態に関しては、以下の図面を参照して説明すると共に、チェス盤の形態についても説明をする。
【実施例１】
【０００９】  図１は、本考案の１実施例の図面である。１は本考案となるチェス駒で、その上に４のフィギュア付ボトルキャップを嵌め込むことで、チェス競技の駒として使用できる。図１の１は図２の８と同等サイズである。【００１０】  ２のフィギュア付ボトルキャップ用嵌合部と５のボトルキャップフィギュア専用チェス駒嵌合部とを接続し、７のボトルキャップフィギュア付チェス駒の用具を提供する。【００１１】  ２の外径はペットボトル容器の蓋の外径と同径であり、１と４とは着脱可能で、２は競技中に５から脱落しない形状を持たせ、１の底面の大きさは、チェス盤に７のボトルキャップフィギュア付チェス駒が安定して自立できる状態に定める必要がある。【００１２】  上記のサイズを考慮し、チェス盤の一マスのサイズは１実施例では、公式用サイズのうちの５センチ四方のものを使用するが、使用サイズの定めはない。【００１３】  図２は、６種類（キング・クィーン・ビショップ・ナイト・ルーク・ポーン）のボトルキャップフィギュア専用チェス駒のサイズの１実施例の立面図である。８はキング・クィーンの共用サイズ、９はビショップ・ナイト・ルークの共用サイズ、１０はポーン用サイズで、３種類の形状で構成している。【００１４】  ８はキング・クィーン用で、矢印の指示する箇所の前面と背面には、キング・クィーンのそれぞれの略画を記す。９はビショップ・ナイト・ルーク用で、矢印が指示する箇所の前面と背面にも、ビショップ・ナイト・ルークのそれぞれの略画を記す。１０はポーン専用で、矢印の指示する箇所の前面と背面にはポーンの略画を記して、ボトルキャップフィギュア専用チェス駒を種類別に分ける。【００１５】  上記を踏まえ、１実施例では白黒の色違いのボトルキャップフィギュア専用チェス駒を各１６個づつ（キング１個・クィーン１個・ビショップ２個・ナイト２個・ルーク２個・ポーン８個）、全部で３２個を揃える。但し、敵味方の駒の色区別はあるが、色指定の定めはない。
【産業上の利用可能性】
【００１６】  従来のチェスゲーム製品の形態にとらわれず、使用者の裁量による駒選びができ、思いも寄らないキャラクターフィギュア同士の対戦を楽しむことが可能となる。今までのボトルキャップフィギュアでは収集・陳列に留まっており、それ以上の展開を見出せずにいた。今回の考案により、ボトルキャップ業界とチェスのボードゲーム業界への利用範囲を広げることになると考えられる。
【図面の簡単な説明】
【００１７】
【図１】ボトルキャップフィギュア専用チェス駒とフィギュア付ボトルキャップとの接続方法と各部位を示した立面図である。（実施例１）
【図２】ボトルキャップフィギュア専用チェス駒の種類別の形状の立面図である。（実施例１）
【図３】チェス駒の６種類の略画図である。（実施例１）
【符号の説明】
【００１８】  １  ボトルキャップフィギュア専用チェス駒
２  フィギュア付ボトルキャップ用嵌合部
３  チェス駒の種類別の略画
４  フィギュア付ボトルキャップ
５  ボトルキャップフィギュア専用チェス駒及びペットボトルキャップ用嵌合部
６  フィギュア
７  ボトルキャップフィギュア付チェス駒
８  キング・クィーン共用のボトルキャップフィギュア専用チェス駒
９  ビショップ・ナイト・ルーク共用のボトルキャップフィギュア専用チェス駒
１０  ポーン用ボトルキャップフィギュア専用チェス駒
【図１】
0003105669.tif 000003
【図２】
0003105669.tif 000004
【図３】
0003105669.tif 000005
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
あらゆるフィギュア付ボトルキャップに嵌合、且つ、着脱可能で、競技中にボトルキャップから脱落しない形状を備えたチェス駒。
【請求項２】
異なる大きさの駒本体の前面と背面に、６種類のチェス駒の略画を記した請求項１記載のチェス駒。
【手続補正書】
【提出日】平成16年7月8日(2004.7.8)
【手続補正１】
【補正対象書類名】実用新案登録請求の範囲
【補正対象項目名】全文
【補正方法】変更
【補正の内容】
【実用新案登録請求の範囲】
【請求項１】
円盤状台座に円錐型支柱を立て、この上に台座より外径が小さく、支柱よりも外径の大きな円柱の嵌合部を設置した連結物（１）を特徴とするボトルキャップフィギュア専用チェス駒。
【請求項２】
円柱の外径はペットボトル容器の蓋の外径と等しく、円柱の表面に縦溝（２）を形成し、フィギュア付ボトルキャップからの脱落を防止する接続手段を設けた請求項１記載のボトルキャップフィギュア専用チェス駒。